(57)【特許請求の範囲】
【請求項１】
マットレスが載置される基体を有し、この基体の長手方向一端にはヘッドボ−ド体が立設されるベッド装置において、
上記ヘッドボ−ド体は、
本体と、
この本体の表面を被覆した第１の外装地と、
一側面と他側面とが異なるデザインとなっていて、中途部が上記本体の前面の高さ方向中途部に結合された第２の外装地とを具備し、
上記第２の外装地は、中途部から折り曲げられてその一端部側と他端部側とが重合してその一側面のデザインを露出させた第１の状態と、上側に位置する他端部側を上記本体の前面側から背面側へ展開させて上記本体の前面を覆うことで他側面のデザインを露出させる第２の状態とに変換できる
ことを特徴とするベッド装置。
【請求項２】
上記本体の前面上部には、背当てクッションが着脱自在に設けられることを特徴とする請求項１記載のベッド装置。
【請求項３】
上記本体の前面は上端にゆくにつれて後方へ向かって傾斜した傾斜面に形成され、この傾斜面の上記マットレスの上面に対応する部分にはバイブレ−タが第１の状態にある上記第２の外装地に保持されて着脱自在に設けられることを特徴とする請求項１記載のベッド装置。
【発明の詳細な説明】
【０００１】
【発明の属する技術分野】
この発明はマットレスが載置される基体の長手方向一端にヘッドボ−ド体が立設されるベッド装置に関する。
【０００２】
【従来の技術】
一般に、ベッド装置はマットレスが載置される基体を有し、この基体の長手方向一端にはヘッドボ−ドが立設される。このようなベッド装置においては、上記ヘッドボ−ド体のデザインによってベッド装置全体の外観が左右されるため、利用者は好みや設置する部屋の雰囲気に応じて所定のデザインのヘッドボ−ドを選択するようにしている。
【０００３】
そのため、上記ベッド装置を設置する部屋を変えたり、所定期間使用することでヘッドボ−ド体のデザインを変えたい場合などには、ヘッドボ−ド体を異なるデザインのものに交換するということが行われていた。
【０００４】
しかしながら、ヘッドボ−ド体のデザインを変えるために、新たなヘッドボ−ド体に交換するようにしたのでは、その交換作業が容易でないばかりか、予め異なるデザインのヘッドボ−ド体を用意しておかなければならないから、非常に不経済であるなどのことがあった。
【０００５】
【発明が解決しようとする課題】
このように、従来のベッド装置においては、ヘッドボ−ド体のデザインを変えるためには、ヘッドボ−ド体を新たなものに交換しなければならないから、交換作業に手間が掛かったり、交換用のヘッドボ−ド体を予め用意しておかなければならないため不経済であるなどのことがあった。
この発明は、ヘッドボ−ド体を交換することなしに、そのデザインを容易に変えることができるようにしたベッド装置を提供することにある。
【０００６】
【課題を解決するための手段】
請求項１の発明は、マットレスが載置される基体を有し、この基体の長手方向一端にはヘッドボ−ド体が立設されるベッド装置において、
上記ヘッドボ−ド体は、
本体と、
この本体の表面を被覆した第１の外装地と、
一側面と他側面とが異なるデザインとなっていて、中途部が上記本体の前面の高さ方向中途部に結合された第２の外装地とを具備し、
上記第２の外装地は、中途部から折り曲げられてその一端部側と他端部側とが重合してその一側面のデザインを露出させた第１の状態と、上側に位置する他端部側を上記本体の前面側から背面側へ展開させて上記本体の前面を覆うことで他側面のデザインを露出させる第２の状態とに変換できることを特徴とする。
【０００７】
請求項２の発明は、請求項１の発明において、上記本体の前面上部には、背当てクッションが着脱自在に設けられることを特徴とする。
請求項３の発明は、請求項１の発明において、上記本体の前面は上端にゆくにつれて後方へ向かって傾斜した傾斜面に形成され、この傾斜面の上記マットレスの上面に対応する部分にはバイブレ−タが第１の状態にある上記第２の外装地に保持されて着脱自在に設けられることを特徴とする。
【０００８】
請求項１の発明によれば、第２の外装地の一側面と他側面とのデザインが異なるため、第２の外装地が折り曲げられた第１の状態と、他端部側を本体の前面側から背面側へ展開させた第２の状態とでヘッドボ−ド体のデザインを変えることができるから、ヘッドボ−ド体のデザインの変更を容易に行うことができる。
【０００９】
請求項２の発明によれば、本体の前面上部に背当てクッションを着脱自在に設けることができるようにしたことで、背当てクッションを設ければ、利用者はベッド上で上半身を起こした姿勢を維持するときに、上記背当てクッションに寄り掛かることができ、上記背当てクッションを取り除けば、通常のヘッドボ−ド体として利用できる。
【００１０】
請求項３の発明によれば、ヘッドボ−ド体の本体の傾斜した前面にバイブレ−タを第２の外装地によって着脱自在に保持するようにしたことで、上半身を起こしてヘッドボ−ド体に寄り掛かった利用者は腰部にマッサ−ジを受けることができる。
【００１１】
【発明の実施の形態】
以下、この発明の一実施の形態を図面を参照して説明する。
図３と図４とは同一のベッド装置で、これらベッド装置は異なるデザインに変換された状態を示している。このベッド装置は基体１を備えている。この基体１は矩形枠状に形成されていて、上面にはマットレス２が載置され、長手方向一端にはヘッドボ−ド体３が立位状態で設けられている。
【００１２】
図１に示すように、上記ヘッドボ−ド体３は本体５を有する。この本体５はフレ−ム６の前面と背面とにそれぞれ前面板７と背面板８が設けられ、さらに両側面には図示しない側面板を設けて構成されている。このヘッドボ−ド体３の前面の、基体１に載置されたマットレス２よりも上面側の部分は上端にゆくにつれて後方に向かって傾斜した傾斜面７ａに形成されている。
【００１３】
上記ヘッドボ−ド体３の底面を除く表面は第１の外装地１１によって被覆されている。このヘッドボ−ド体３の前面の傾斜面７ａの中途部には第２の外装地１２が結合されている。この第２の外装地１２は第１の布地１２ａと第２の布地１２ｂとが接合されて一体的に縫合されてなり、長手方向中途部が図２に示すように上記第１の外装地１１に縫着結合されている。
【００１４】
上記第２の外装地１２は、第１の布地１２ａが上記第１の外装地１１と同じ色調や模様などのデザインとなっており、第２の布地１２ｂが第１の外装地１１と異なるデザインとなっている。
【００１５】
上記第２の外装地１２は、図１に示すように第１の布地１２ａを表側にして中途部から二つに折り曲げられている。この状態を第１の状態とする。第１の状態において、第２の外装地１２の重合された両端部はヘッドボ−ド体３の前面とマットレス２の側面とに挟持されて保持され、また上側に位置する第１の布地１２ａの端部には第１のベルベットファスナ１３が設けられている。
【００１６】
上記ヘッドボ−ド体３の前面の傾斜面７ａの上部には背当てクッション１４が第２のベルベットファスナ１５によって着脱自在に設けられている。この背当てクッション１４はクッション材１４ａを布地１４ｂで被覆してなり、そのクッション材１４ａにはバイブレ−タ１６が内蔵されている。上記背当てクッション１４の布地１４ｂは上記第１の外装地１１および第２の外装地１２の第１の布地１２ａと同じデザインとなっている。
【００１７】
上記第２の外装地１２は、上記第１の状態において上側に位置する他端部側を図１に鎖線で示すようにヘッドボ−ド体３の背面側へ展開させることができる。第２の外装地１２を展開させることで、ヘッドボ−ド体３の前面は上記第２の外装地１２の第２の布地１２ｂによって覆われることになる。この状態を第２の状態とする。
【００１８】
このような構成のベッド装置によれば、第２の外装地１２が二つ折りにされた第１の状態では、上記第２の外装地１２の第１の布地１２ａが表面に露出しており、その第１の布地１２ａのデザインは第１の外装地１１および背当てクッション１４の布地１４ｂと同じであるから、ヘッドボ−ド体３は上記第２の外装地１２の第１の布地１２ａのデザインとなる。この第１の状態のベッド装置を図３に示す。
【００１９】
上記ベッド装置のデザインを変更したい場合には、二つ折りにされた第２の外装地１２の上側に位置する他端部側を、図１に鎖線で示すように上記ヘッドボ−ド体３の上端から背面側へ展開させ、その端部に設けられた第１のベルベットファスナ１３を上記ヘッドボ−ド体３の背面に係着させる。つまり、第２の外装地１２を第１の状態から第２の状態へ変換する。第２の状態のベッド装置を図４に示す。
【００２０】
展開させた第２の外装地１２をその状態で保持するために、ヘッドボ−ド体３の背面に上記第１のベルベットファスナ１３が係着するベルベットファスナを設けてもよいが、第１の外装地１１に起毛布を用いれば、上記第１のベルベットファスナ１３を係着させることができる。
【００２１】
第２の外装地１２を展開させて第２の状態とすることで、この第２の外装地１２の第２の布地１２ｂがヘッドボ−ド体３の前面を覆うことになる。第２の布地１２ｂは第１の布地１２ａとデザインが異なるから、ヘッドボ−ド体３を異なるデザインに変換されることになる。
【００２２】
つまり、第２の外装地１２を二つ折りされた第１の状態と、展開された第２の状態のいずれかにすることで、上記第２の外装地１２の第１の布地１２ａと第２の布地１２ｂとのデザインに応じてヘッドボ−ド体３のデザインを変えることができる。
【００２３】
ヘッドボ−ド体３の前面上部には背当てクッション１４が設けられているから、利用者は上半身を起こしたときに上記背当てクッション１４に寄り掛かることで、その姿勢を楽に維持することができ、またバイブレ−タ１６を作動させれば、背面にマッサ−ジを受けることができる。
【００２４】
第１の状態において、背当てクッション１４を取り除くようにしてもよく、また背当てクッション１４を取り除いた状態で第２の外装地１２を展開して第２の状態としてもよい。
【００２５】
図５に示すように、第２の外装地１２が第１の状態にあるとき、上記背当てクッション１４を上記第２の外装地１２の一端部側と他端部側の間に保持してマットレス２の上面とほぼ同じ高さ位置に設ける。そして、利用者が上半身を起こしてヘッドボ−ド体３に寄り掛かれば、上記背当てクッション１４が腰部に当たるから、この背当てクッション１４のバイブレ−タ１６を作動させることで、腰部にマサ−ジを受けることができる。
【００２６】
上記ヘッドボ−ド体３の前面は上端にゆくにつれて後方に傾斜した傾斜面７ａに形成されている。そのため、利用者が上半身を後方に倒してヘッドボ−ド体３に寄り掛かることで、上記背当てクッション１４が利用者の腰部に確実に当たるから、背当てクッション１４に設けられたバイブレ−タ１６によるマッサ−ジ作用を高めることができる。
【００２７】
なお、背当てクッション１４を用いない場合には、バイブレ−タを用意しておき、腰部にマッサ−ジを受けたいときに、そのバイブレ−タ１６をヘッドボ−ド体３の前面の第２の外装地１２に保持すればよい。上記バイブレ−タ１６はクッション材に埋設された構成でなく、たとえば偏平な容器状の構造であってもよく、その点はなんら限定されるものでない。
【００２８】
図６はこの発明の変形例を示す実施の形態で、この実施の形態は背当てクッション１４がヘッドボ−ド体３に対して着脱自在でなく、固定して設けられている。つまり、ヘッドボ−ド体３に第１の外装地１１を設ける前に、背当てクッション１４のクッション材１４ａをヘッドボ−ド体３の前面上部に予め接合保持しておき、その状態でヘッドボ−ド体３の表面を第１の外装地１１で被覆する。
【００２９】
この実施の形態では、第１の外装地１１がヘッドボ−ド体３の前面の傾斜面７ａの上部を除く部分を覆う第１の布地１１ａと、クッション材１４ａおよびヘッドボ−ド体３の背面を覆う第２の布地１１ｂとに分割されていて、第１の布地１１ａと第２の布地１１ｂの縫着部分に第２の外装地１２の中途部が一緒に縫着されている。
【００３０】
このような構成によれば、背当てクッション１４が第１の外装地１１で覆われてヘッドボ−ド体３と一体的に設けられるから、ヘッドボ−ド体３の外観の向上が計れるばかりか、背当てクッション１４の取付け状態を安定化させることができる。
【００３１】
なお、この発明は上記各実施の形態に限定されず、種々変形可能である。たとえば、第２の外装地はその一側面と他側面とのデザインを変えるのに、第１の布地と第２の布地とを接合縫着したが、一枚の布地の一側面と他側面の色調や模様などを変えることで、第２の外装地としてもよい。つまり、第２の外装地は一枚の布地で形成してもよい。
また、ヘッドボ−ド体の第２の外装地が設けられた部分には第１の外装地を設けなくても差し支えない。
【００３２】
【発明の効果】
請求項１の発明によれば、ヘッドボ−ド体を形成する本体の表面を第１の外装地で被覆するとともに、この本体の前面の高さ方向中途部に、一側面と他側面とのデザインが異なる第２の外装地の中途部を結合し、この第２の外装地を二つ折りにされた第１の状態と、本体の前面側から背面側へ展開させる第２の状態とに変換できるようにした。
【００３３】
そのため、第２の外装地が折り曲げられた第１の状態と、本体の前面側から背面側へ展開させた第２の状態とでこの第２の外装地によってヘッドボ−ド体のデザインを変えることができるから、ヘッドボ−ド体のデザインの変更を容易に行うことができる。
【００３４】
請求項２の発明によれば、本体の前面上部に背当てクッションを着脱自在に設けるようにした。
そのため、利用者はベッド上で上半身を起こしたときに、上記背当てクッションに寄り掛かることで、上半身を起こした姿勢を楽に維持することができ、しかも上記背当てクッションを取り除くことで、通常のヘッドボ−ド体として利用することができる。
【００３５】
請求項３の発明によれば、ヘッドボ−ド体の本体の傾斜した前面にバイブレ−タを第２の外装地によって着脱自在に保持するようにしたから、上半身を起こしてヘッドボ−ド体に寄り掛かった利用者は腰部にマッサ−ジを受けることができる。しかも、本体の前面が傾斜していることで、ヘッドボ−ド体に寄り掛かると、利用者の上半身が後方に倒れるから、上記バイブレ−タに腰部を確実に押し当ててマッサ−ジを受けることができる。
【図面の簡単な説明】
【図１】この発明の一実施の形態のヘッドボ−ド体を示す縦断面図。
【図２】同じく第１の外装地と第２の外装地との連結部分の拡大図。
【図３】同じく第２の外装体が第１の状態にあるベッド装置の斜視図。
【図４】同じく第２の外装体が第２の状態にあるベッド装置の斜視図。
【図５】同じく背当てクッションを第２の外装地によって保持した状態を示すヘッドボ−ド体の縦断面図。
【図６】この発明の他の実施の形態を示すヘッドボ−ド体の縦断面図。
【符号の説明】
１…基体
２…マットレス
３…ヘッドボ−ド体
１１…第１の外装体
１２…第２の外装体
１４…背当てクッション
１６…バイブレ−タ
【図１】
0003562934.tif 000002
【図２】
0003562934.tif 000003
【図３】
0003562934.tif 000004
【図４】
0003562934.tif 000005
【図５】
0003562934.tif 000006
【図６】
0003562934.tif 000007